(57)【要約】      （修正有）【課題】１月から１２月に至る全ての月の各日付欄に、複数班編成による一昼夜２４時間拘束の交替勤務における各班の勤務者全ての当番勤務が表示された当番勤務表示付きカレンダーを提供する。【解決手段】当番勤務表示付きカレンダー１１における、１月から１２月に至る全ての月の各日付欄１２に、その左上隅部において、典型的な３班編成による一昼夜２４時間拘束の交替勤務における当番勤務を担う班を指示する符号１３として「１班」、「２班」及び「３班」の文字が繰り返し表示されている。【選択図】図１
0003190125.tif 000002
【実用新案登録請求の範囲】
【請求項１】
１月から１２月に至る全ての月の各日付欄に、複数班編成による一昼夜２４時間拘束の交替勤務における当番勤務を担う班を指示する符号を繰り返し表示してなる当番勤務表示付きカレンダー。
【請求項２】
前記符号が、数字、文字、記号、図形の単独又は組合せからなる、請求項１に記載の当番勤務表示付きカレンダー。
【請求項３】
各日付欄に、当番勤務を担う班を指示する符号が、班数を異にする複数の編成態様ごとに分けて表示された、請求項１又は２に記載の当番勤務表示付きカレンダー。
【考案の詳細な説明】
【技術分野】
【０００１】
本考案は、日付欄に、３班編成等の複数班編成による一昼夜２４時間拘束の交替勤務における各班の当番勤務状況を表示した当番勤務表示付きカレンダーに関する。
【背景技術】
【０００２】
例えば消防職員、警察職員、自衛官、警備業等における、特に国家や地域の安全、安心の確保等に直接関わる職務にある勤務者では、３班や４班等の複数班の編成により一昼夜２４時間拘束される特殊な交替勤務体制が採用されている。このような交替勤務の場合、ある班の当番日から次の当番日の間には、当番日明けの非番日、公休日、日勤等が適宜入ることになる。
【０００３】
前記交替勤務を行う勤務者は、自らの当番日を常時間違いなく把握しておく必要があるため、概して、前記当番日を汎用のカレンダーの日付欄に個人的に記入していたが、１月から１２月に至る全ての月の所定日付欄に、前記当番日を繰り返し正しく記入することは極めて煩雑であり、また誤記も生じがちとなる。また、前記のように当該勤務者がその当番日を自ら記入したカレンダーでは、該勤務者と同じ班の勤務者には有用であるが、他の班の勤務者に全く適していない。
【０００４】
この点に関して、特許文献１には、日にちを表す数字をすべて白抜き数字とし、各個人の休日や生活サイクルを自分の色で数字を色づけし識別できるようにしたカレンダーが開示されている。このカレンダーでは、各個人が自分の勤務に応じてカレンダーの日付を色分けすることで、恰も、日曜・祝祭日に休日となる人がカレンダーを見ると日曜・祝祭日の日付の色が違うため一目で休日を判断できるように、交替勤務等の勤務形態の人も自分のパーソナルカレンダーで、一目で休日やシフトを判断できる、とされる。
【０００５】
しかしながら、前記パーソナルカレンダーもまた、各個人が自分の勤務に応じて自らカレンダーの日付を色分けするものであり、勤務者がその当番日を自ら記入する既述のカレンダーと同様の問題を含むことは否めない。
【先行技術文献】
【特許文献】
【０００６】
【特許文献１】実用新案登録第３０４６８３３号公報
【考案の概要】
【考案が解決しようとする課題】
【０００７】
本考案の課題は、前記従来技術の問題点に鑑み、１月から１２月に至る全ての月の各日付欄に、複数班編成による一昼夜２４時間拘束の交替勤務における各班の勤務者全ての当番勤務が表示された当番勤務表示付きカレンダーを提供することにある。
【課題を解決するための手段】
【０００８】
請求項１に記載の考案に係る当番勤務表示付きカレンダーは、１月から１２月に至る全ての月の各日付欄に、複数班編成による一昼夜２４時間拘束の交替勤務における当番勤務を担う班を指示する符号を繰り返し表示してなるものである。
【０００９】
前記符号として、請求項２に記載のように、数字、文字、記号、図形の単独又は組合せからなるものが使用され、例えば、「１、２、３」や「１／３、２／３、３／３」等のような数字、「１班、２班、３班」や「１組、２組、３組」等のような数字と文字の組合せ、「Ａ、Ｂ、Ｃ」や「イ、ロ、ハ」等のような文字、「Ａ班、Ｂ班、Ｃ班」や「Ａ組、Ｂ組、Ｃ組」等のような文字と文字の組合せ、「〇」、「□」、「△」等のような記号、図形及びそれらと、それら以外の数字、文字、記号、図形等との適宜の組合せが好適に使用され、またそれらには適宜彩色や模様が施されていてもよい。前記符号が、記号や図形からなり、数字や文字を含まないような場合は、当番勤務表示付きカレンダーの使用者が、自らの班を該当する符号と関連付けて、該カレンダーを使用すればよい。なお、前記の各日付欄への符号の表示は、直接的な表示の他に、例えばシールの貼着等による間接的な表示であってもよい。
【００１０】
前記当番勤務表示付きカレンダーは、基本的には、例えば３班編成用及び４班編成用等のように所要班数の編成態様ごとに作成されるが、必要に応じて、例えば３班編成及び４班編成等のように班数を異にする複数の編成態様に対応して作成されてもよい。後者の場合、請求項３に記載のように、各日付欄に、当番勤務を担う班を指示する符号が、班数を異にする複数の編成態様ごとに、表示位置を変える等して、分けて表示されることになる。
【考案の効果】
【００１１】
請求項１に記載の考案によれば、１月から１２月に至る全ての月の各日付欄に、複数班編成による一昼夜２４時間拘束の交替勤務における各班の勤務者全ての当番勤務が表示された当番勤務表示付きカレンダーを提供することができる。
【００１２】
請求項２に記載の考案によれば、請求項１に記載の考案に係る当番勤務表示付きカレンダーにおいて、当番勤務を担う班を指示する符号として、数字、文字、記号、図形の単独又は組合せから自由に選択することができる。
【００１３】
また、請求項３に記載の考案によれば、請求項１又は２に記載の考案に係る当番勤務表示付きカレンダーにおいて、例えば３班編成及び４班編成等のように班数を異にする複数の編成態様に対応することができる。
【図面の簡単な説明】
【００１４】
【図１】図１は、本考案の実施例１に係る当番勤務表示付きカレンダーの平面図であり、同図（ａ）及び（ｂ）は１月の頁及び２月の頁を各々示している。
【図２】図２は、本考案の実施例２に係る当番勤務表示付きカレンダーの平面図であり、同図（ａ）及び（ｂ）は１月の頁及び２月の頁を各々示している。
【考案を実施するための形態】
【００１５】
本考案の実施に際しては、カレンダーにおける全ての月の各日付欄に、交替勤務における当番勤務を担う班を指示する符号が繰り返し表示される。
【実施例１】
【００１６】
当番勤務表示付きカレンダー１１には、１月から１２月に至る全ての月（１月及び２月の頁のみ図示される）の各日付欄１２に、その左上隅部において、典型的な３班編成による一昼夜２４時間拘束の交替勤務における当番勤務を担う班を指示する符号１３として、「１班」、「２班」及び「３班」の文字が四角い囲み線と共に繰り返し表示されている。
【００１７】
なお、前記符号１３として、前記「１班」、「２班」、「３班」に代えて、例えば、「１組」、「２組」、「３組」や、単に「１」、「２」、「３」又は「１／３」、「２／３」、「３／３」等であってもよく、また前記以外の数字や文字、記号、図形の単独又は組合せであってもよく、それらに対する彩色や模様の付与も可能であり、さらに囲み線の有無や形状等にも制限はない。
【実施例２】
【００１８】
当番勤務表示付きカレンダー２１には、１月から１２月に至る全ての月（１月及び２月の頁のみ図示される）の各日付欄２２に、その左上隅部において、典型的な３班編成による一昼夜２４時間拘束の交替勤務における当番勤務を担う班を指示する符号２３として、「１班」、「２班」及び「３班」の各文字が四角い囲み線と共に繰り返し表示され、またその右下隅部において、典型的な４班編成による一昼夜２４時間拘束の交替勤務における当番勤務を担う班を指示する符号２３として、「Ａ班」、「Ｂ班」、「Ｃ班」及び「Ｄ班」の各文字が四角い囲み線と共に繰り返し表示されている。
【００１９】
なお、前記符号２３として、前記「１班」、「２班」、「３班」に代えて、例えば、「１組」、「２組」、「３組」や、単に「１」、「２」、「３」又は「１／３」、「２／３」、「３／３」等であってもよく、また前記以外の数字や文字、記号、図形の単独又は組合せであってもよく、それらに対する彩色や模様の付与も可能であり、さらに囲み線の有無や形状等にも制限はない。また、前記「Ａ班」、「Ｂ班」、「Ｃ班」、「Ｄ班」に代えて、例えば、「１班」、「２班」、「３班」、「４班」又は「Ａ組」、「Ｂ組」、「Ｃ組」、「Ｄ組」等や、単に「１」、「２」、「３」、「４」又は「Ａ」、「Ｂ」、「Ｃ」、「Ｄ」等であってもよく、それらに対する彩色や模様の付与も可能であり、また前記以外の文字や数字、記号、図形の単独又は組合せであってもよく、さらに囲み線の有無や形状等にも制限はない。
【００２０】
本考案は前記実施形態に限定されるものではなく、本考案の目的と実用新案登録請求の範囲に記載された範囲内において、種々の変形、組合せ等による前記以外の多くの広範な実施態様が実施可能であることは言うまでもない。
【符号の説明】
【００２１】
１１  当番勤務表示付きカレンダー（３班編成用）
１２  日付欄
１３  符号
２１  当番勤務表示付きカレンダー（３班編成及び４班編成用）
２２  日付欄
２３  符号
【図１】
0003190125.tif 000003
【図２】
0003190125.tif 000004